(57)【要約】【課題】  身体を拘束することなく姿勢を保持して安全に被介護者が着座することができるとともに、被介護者の移乗や、着座後も介護も行い易く、しかも、配置変更も容易な介護用チェアーを提供すること。【解決手段】  発泡合成樹脂のブロックにより作製し、かつ、臀座シート部11と背凭れ部12とを有するチェア本体１と、同様に発泡合成樹脂により作製して当該チェア本体１の側面を挟むごとく前記臀座シート11の両側部に面着ファスナー２により接合配置した左右のアームレストブロック３・３とから構成し、前記チェア本体１の背凭れ部12の上部に着座した被介護者の頭頸部を囲って保持する頭頸保持部41を有するヘッドレスト４を配設する一方、チェア本体１の臀座シート11の前端縁付近に被介護者の腿受け部13を形成するとともに、臀座シート部11には、前上がりの傾斜面を形成するという技術的手段を採用した。【選択図】  図１
0003114662.tif 000002
【実用新案登録請求の範囲】
【請求項１】
発泡合成樹脂のブロックにより作製され、かつ、臀座シート部11と背凭れ部12とを有するチェア本体１と、同様に発泡合成樹脂により作製されて当該チェア本体１の側面を挟むごとく前記臀座シート部11の両側部に面着ファスナー２により接合配置された左右のアームレストブロック３・３とから成り、前記チェア本体１の背凭れ部12の上部には着座した被介護者の頭頸部を囲って保持する頭頸保持部41を有するヘッドレスト４が配設されている一方、チェア本体１の臀座シート11の前端縁付近には被介護者の腿受け部13が形成されているとともに、臀座シート部11は、前上がりの傾斜面に形成されていることを特徴とする介護用チェアー。
【請求項２】
チェア本体１の臀座シート部11及び背凭れ部12に、被介護者の身体形状に適合する凹部を備えた発泡樹脂体である臀座シートブロック14及び背凭れブロック15が取り付けられていることを特徴とする請求項１記載の介護用チェアー。
【請求項３】
チェア本体１に楔ブロック５が付設されており、この楔ブロック５の差し入れ位置を調節することによってチェア本体１の傾倒角度の調節可能であることを特徴とする請求項１または２に記載の介護用チェアー。
【請求項４】
チェア本体１が、着座面裏側に通気性ウレタン素材を用いて蒸れを防止できるように作製されていることを特徴とする請求項１〜３何れか一つに記載の介護用チェアー。
【請求項５】
チェア本体１の腿受け部13に、被介護者の腿部を固定する補助ベルト16が設けられていることを特徴とする請求項１〜４何れか一つに記載の介護用チェアー。
【請求項６】
チェア本体１の臀座シート部11及び背凭れ部12に、低反発性発泡樹脂シート17を敷設することを特徴とする請求項１〜５何れか一つに記載の介護用チェアー。
【考案の詳細な説明】
【技術分野】
【０００１】
本考案は、介護用チェアーの改良、更に詳しくは、被介護者の着座状態での快適性及び安全性が非常に高く、しかも、被介護者の移乗や着座後の介護作業における簡便性にも優れた介護用チェアーに関するものである。
【背景技術】
【０００２】
周知のとおり、社会には、脱力症状を伴う筋無力症や半身麻痺等を患って生活に介護を受けている障害幼児及び老人などの障害者（文中、「被介護者」という）が存在する。
【０００３】
そして、このような被介護者は、寝たきりの状態が続くと病状が好転しにくく、精神的にも自立性が損なわれることから、なるべく着座姿勢をとって社会的な生活することが望ましいが、普通の椅子では彼等の着座姿勢を維持できないため、特殊な構造を有した介護用椅子が必要とされた。
【０００４】
そこで、従来において、座面板の両側に側板を接合すると共に、側板を安定した家具等に連結し、側板の後部には背凭れ部材を取り付け、更に着座者の傾倒や座面上からの擦り落ちを防止するベルトを付設することによって、着座した状態でも被介護者に清拭等の介護を施せる椅子が提案された（例えば、特許文献１参照）。
【０００５】
しかしながら、上記の椅子では、ベルトを使って被介護者の身体を拘束し、強制的に姿勢を保持させていたため、被介護者は身動きすると身体を締め付けられる状態となり身体的・精神的に圧迫感や苦痛を感じざるを得なかった。しかも、介護者が被介護者の身体を抑えていない状態でベルトを外してしまうことで、被介護者が傾倒して椅子から脱落し、怪我をするような危険もあった。
【０００６】
また、上記の椅子は、椅子側板が固定的に設けられていたため、被介護者は開放状態となっている前方からしか着座することができず、介護者は被介護者を移乗させる際に、まず、両腕を使って被介護者を立位姿勢に支持して、その姿勢を保ったまま被介護者を椅子前方まで移動させた後、方向転換させて、被介護者を着座させるという非常に面倒な作業を必要とした。それゆえ、介護者の労力は非常に大きく、また、移乗作業の最中に被介護者が介護者の腕から脱落してしまう等の危険性さえあった。
【０００７】
同様に、側板が固定的に設けられていたことにより、側板が邪魔になって、身体の清拭時に背部や臀部に手を回し難く、さらに、着座している被介護者に対して介護者が肩を抱いて付き添うようなことも困難で、介護用品として不満のある構造であった。
【０００８】
そしてまた、上記の椅子は、組立構造が複雑であるため組立作業が面倒であり、かつ、安定した家具に固定する必要があったため、据付場所が限定されてしまうという不都合な面があった。
【特許文献１】特開平６−７４００号公報  （第２−４頁、第１−５図）
【考案の開示】
【考案が解決しようとする課題】
【０００９】
本考案は、上記の問題に鑑みて為されたものであって、その目的とするところは、身体を拘束することなく姿勢を保持して安全に被介護者が着座することができるとともに、被介護者の移乗や、着座後も介護も行い易く、しかも、配置変更も容易な介護用チェアーを提供することにある。
【課題を解決するための手段】
【００１０】
本考案者が、上記課題を解決するために採用した手段を添付図面を参照して説明すれば次のとおりである。
【００１１】
即ち、本考案は、発泡合成樹脂のブロックにより作製し、かつ、臀座シート部11と背凭れ部12とを有するチェア本体１と、同様に発泡合成樹脂により作製して当該チェア本体１の側面を挟むごとく前記臀座シート11の両側部に面着ファスナー２により接合配置した左右のアームレストブロック３・３とから構成し、前記チェア本体１の背凭れ部12の上部に着座した被介護者の頭頸部を囲って保持する頭頸保持部41を有するヘッドレスト４を配設する一方、チェア本体１の臀座シート11の前端縁付近に被介護者の腿受け部13を形成するとともに、臀座シート部11は、前上がりの傾斜面を形成させた点に特徴がある。
【００１２】
また、本考案においては、上記課題を解決するために、必要に応じて上記手段に加え、チェア本体１の臀座シート部11及び背凭れ部12に、被介護者の身体形状に適合する凹部を備えた発泡樹脂体である臀座シートブロック14及び背凭れブロック15を取り付けるという技術的手段を採用することができる。
【００１３】
また、本考案においては、上記課題を解決するために、必要に応じて上記手段に加え、チェア本体１に楔ブロック５を付設して、この楔ブロック５を底面に差し入れることによってチェア本体１の傾倒角度の調節を自在にするという技術的手段を採用することができる。
【００１４】
また、本考案においては、上記課題を解決するために、必要に応じて上記手段に加え、チェア本体１を、着座面裏側に通気性ウレタン素材を用いて蒸れを防止できるように作製するという技術的手段を採用することができる。
【００１５】
また、本考案においては、上記課題を解決するために、必要に応じて上記手段に加え、チェア本体１の腿受け部13に、被介護者の腿部を固定する補助ベルト16を設けるという技術的手段を採用することができる。
【００１６】
また、本考案においては、上記課題を解決するために、必要に応じて上記手段に加え、チェア本体１の臀座シート部11又は背凭れ部12に、低反発性発泡樹脂シート17を敷設するという技術的手段を採用することができる。
【考案の効果】
【００１７】
本考案では、座面を前方に向かって上向きに形成したため、被介護者は腿部が持ち上がった状態で着座することとなり、身動きしても臀部が位置ズレして座面上から擦り落ちてしまうことはなく、また、身体が傾倒して椅子から崩れ落ちてしまうような危険も解消することができる。
【００１８】
加えて、頭頸部を囲って支持するヘッドレストを設けたことにより、首に力の入らない着座者の頭部が横方向に傾倒して脛骨を傷めるような事態を防止することができる。さらに、本考案では、ベルトによる身体の拘束を必要としないため、被介護者が、身体的・精神的な圧迫感や苦痛を感じることはない。
【００１９】
また、腕置き部分を簡単に脱着可能にしたことによって、介護者は、被介護者を移乗させる前に、片方のアームレストブロックを取り外して側方を開放状態にしてから、ベッドや車椅子等と隣接させて、被介護者を座位姿勢のまま平行に移動させるだけでよく、介護者の負担や被介護者の移乗作業中の危険を大幅に低減することができる。しかも、開放側にスライドボード等の補助具を設置することもでき、被介護者をよりスムーズかつ安全に移乗させることができる。
【００２０】
しかも、腕置き部分を簡単に脱着可能にすれば、被介護者の付き添い等で腕置き部分が邪魔になることもない。
【００２１】
そしてまた、本考案は、簡素な構造にしたことによって、分解組立が簡単で容易に運搬でき、さらに、低重心で安定性も高い構造であるため、配置場所の自由度は大きく、被介護者は好む場所を選択して着座することができる。
【００２２】
したがって、本考案により、被介護者の着座における快適性及び安全性を向上させることができるとともに、被介護者の移乗や着座時の介護作業を障害なく行うことができ、さらに、被介護者または介護者が望む場所に自由に配置することもできるため、本考案の実用価値は頗る高いと云える。
【考案を実施するための最良の形態】
【００２３】
本考案の実施形態を具体的に図示した図面に基いて更に詳細に説明すると次のとおりである。
【００２４】
『第１実施形態』
本考案の第１実施形態を図１および図２に基づいて説明する。まず、符号１で指示するものはチェア本体であり、このチェア本体１は、着座者に当接する臀座シート部11及び背凭れ部12を形成する（図１、２参照）。
【００２５】
次に、符号２で指示するものは面着ファスナーである。次に、符号３で指示するものはアームレストブロックである。次に、符号４で指示するものはヘッドレストであり、このヘッドレストには、頭頸部を支持する頭頸保持部41を形成する。次に、符号５で指示するものは楔ブロックである。次に、符号６で指示するものは補助ベルトである。
【００２６】
しかして、本実施形態における介護用椅子の構成を以下に説明する。
【００２７】
まず、チェア本体１の両側面を挟みこむようにアームレストブロック３・３を接合配置して、臀座シート部の両側に側壁状の腕置きを形成する。そして、チェア本体１の臀座シート部11の前端縁付近に被介護者の腿部を支持する腿受け部13を設けて、チェア本体１の臀座シート部11の前端縁から腿受け部13に向かって上向きの傾斜面を形成する。
【００２８】
このように構成することにより、ベルト等で身体を拘束することなく、臀部の位置を安定させて着座した被介護者が身動きすることによって椅子からずり落ちるような危険を防止することができる。
【００２９】
そして、チェア本体１の背凭れ部12の上部には、ヘッドレスト４を面着ファスナー等で着脱・高さ調節自在に付設する。そして、このヘッドレスト４には、着座した被介護者の頭頸部を囲って保持する頭頸保持部41を設けており、本実施形態では、半筒状の凹部を形成している。これによって、着座者の傾倒して脛骨を傷めるような事態を防止することが可能となる。
【００３０】
そしてまた、チェア本体１の腿受け部13に、被介護者の腿部を固定する補助ベルト16を設けて、被介護者になるべく圧迫感を与えずに体幹を安定させている。
【００３１】
また、上部の各部は柔軟な物性を有する発泡合成樹脂（例えば、硬質ポリウレタンフォームや発泡スチレン等）を材料として作製し、座り心地を向上させる。
【００３２】
さらに、チェア本体１に楔ブロック５を付設して、この楔ブロック５を底面に差し入れることによりチェア本体１の傾倒角度の調節を自在にする。これにより、被介護者が着座した際に、前屈して倒れ落ちない角度にすることができ、また、状況に適した角度に設定することができる。
【００３３】
そして、チェア本体１とアームレストブロック３・３を面着ファスナー２で脱着自在にすることによって、被介護者の移乗や、着座後の介護を行う際の支障にならないようにすることができる。
【００３４】
加えて、全体は簡素な組立構造で自立安定性にも優れているため、運搬が容易で配置場所も比較的自由に選択できることから、被介護者が好む場所で着座させることができる。また、パーツ交換が可能であるため、被介護者の成長に合わせて体型に適合するチェア本体１やヘッドレスト４に交換することもできる。
【００３５】
そして、チェア本体１を、着座面裏側に通気性ウレタン素材を用いて蒸れを防止できるように作製する。これにより、臀部が蒸れて座り心地が悪くなったりするようなことはなくなり、快適性は向上する。
【００３６】
『第２実施形態』
次に、第２実施形態を図３および図４に基いて説明する。本実施形態においては、チェア本体１の臀座シート部11及び背凭れ部12に、被介護者の身体形状に適合する凹部を備えた発泡樹脂体である臀座シートブロック14及び背凭れブロック15を取り付ける。これにより、被介護者の当接部分が、局部的な圧迫を受けて床擦れするようなことはなく、被介護者が長時間座っても苦痛を感じるようなことはない。また、本実施例では、ヘッドレスト４の頭頸保持部41を、前記背凭れブロック15に合わせた凹部形状にして、頸部に負担がかからないようにしている。
【００３７】
本考案は、概ね上記のように構成されるが、本考案は、図示の実施形態に限定されるものでは決してなく、「実用新案登録請求の範囲」の記載内において種々の変更が可能であって、例えば面着ファスナー２は、チェア本体１の側面全体に設けて接合効果を最大化してもよい。
【００３８】
また、チェア本体１の臀座シート部11又は背凭れ部12において、直接あるいは臀座シートブロック13や背凭れブロック14の上から低反発性発泡樹脂シート17（例えば、低反発ウレタンやシリコン製）を適宜敷設することによって、被介護者の身体との適合性を向上させてもよく、これらは何れも本考案の技術的範囲に属する。
【産業上の利用可能性】
【００３９】
障害者等の被介護者を社会の一員として尊重する福祉社会では、被介護者が不当に苦痛を受けることのない福祉具が求められており、それは介護用椅子に関しても同様に、被介護者が安全で快適に着座できるものが必要とされている。そして、本考案は、それらの要件を充分に充たすことから、福祉具の要件に適った需要性の高い技術であると云える。
【００４０】
また、福祉具は介護者の介護に係る負担をできるだけ低減する役割も担っており、その点でも、本考案の効果は非常に大きい。したがって、被介護者及び介護者の双方の視点に立って為された本考案は、福祉業界で大いに需要される介護具であると云え、本考案の産業上利用価値は非常に高い。
【図面の簡単な説明】
【００４１】
【図１】本考案の第１実施形態における介護用椅子を表わす全体斜視図である。
【図２】本考案の第１実施形態における片側のアームレストを外した際の介護用チェアー及びその断面形状を表わす全体側面図である。
【図３】本考案の第２実施形態における介護用椅子を表わす全体斜視図である。
【図４】本考案の第２実施形態における片側のアームレストを外した際の介護用チェアー及びその断面形状を表わす全体側面図である。
【符号の説明】
【００４２】
１  チェア本体
11  臀座シート部
12  背凭れ部
13  腿受け部
14  臀座シートブロック
15  背凭れブロック
16  補助ベルト
17  低反発性発泡樹脂シート
２  面着ファスナー
３  アームレストブロック
４  ヘッドレスト
41  頭頸保持部
５  楔ブロック
【図１】
0003114662.tif 000003
【図２】
0003114662.tif 000004
【図３】
0003114662.tif 000005
【図４】
0003114662.tif 000006